(57)【特許請求の範囲】
【請求項１】
原稿紙面の表面の画像を読み取るためのラインイメージセンサを備えた第１の原稿画像読取手段と、
原稿紙面の裏面の画像を読み取るためのラインイメージセンサを備えた第２の原稿画像読取手段と、
上記第１の原稿画像読取手段の読取信号を、上記第２の原稿画像読取手段の読取信号よりも、所定時間遅延させる遅延手段と、
上記遅延手段より出力される遅延読取信号から、上記第２の原稿画像読取手段の読取信号に原稿の透過率の逆数を乗じた後に主走査方向に画素順序を反転させるミラーリング処理を適用して得た第１の処理読取信号を減じる演算を行って、上記原稿紙面の裏面の画像による表面への裏写りの画像成分に対応した信号成分を、上記遅延読取信号より除去する第１の読取信号補正手段と、
上記第２の原稿画像読取手段の読取信号に原稿の透過率の逆数を乗じた後に主走査方向に画素順序を反転させるミラーリング処理を適用して得た第２の処理読取信号から、上記遅延手段より出力される遅延読取信号を減じる演算を行って、上記原稿紙面の表面の画像による裏面への裏写りの画像成分に対応した信号成分を、上記遅延読取信号より除去する第２の読取信号補正手段を備えたことを特徴とする画像読取装置。
【請求項２】
原稿紙面の表面の画像を読み取るためのラインイメージセンサを備えた第１の原稿画像読取手段と、
原稿紙面の裏面の画像を読み取るためのラインイメージセンサを備えた第２の原稿画像読取手段と、
上記第１の原稿画像読取手段の読取信号を、上記第２の原稿画像読取手段の読取信号よりも、所定時間遅延させる遅延手段と、
上記遅延手段の遅延時間を制御する遅延時間制御手段と、
上記遅延手段より出力される遅延読取信号から、上記第２の原稿画像読取手段の読取信号に原稿の透過率の逆数を乗じた後に主走査方向に画素順序を反転させるミラーリング処理を適用して得た第１の処理読取信号を減じる演算を行って、上記原稿紙面の裏面の画像による表面への裏写りの画像成分に対応した信号成分を、上記遅延読取信号より除去する第１の読取信号補正手段と、
上記第２の原稿画像読取手段の読取信号に原稿の透過率の逆数を乗じた後に主走査方向に画素順序を反転させるミラーリング処理を適用して得た第２の処理読取信号から、上記遅延手段より出力される遅延読取信号を減じる演算を行って、上記原稿紙面の表面の画像による裏面への裏写りの画像成分に対応した信号成分を、上記遅延読取信号より除去する第２の読取信号補正手段を備えたことを特徴とする画像読取装置。
【請求項３】
前記遅延時間制御手段は、前記第１の原稿画像読取手段の読取位置と、前記第２の原稿画像読取手段の読取位置の距離に対応した遅延時間を、前記遅延手段に設定することを特徴とする請求項２記載の画像読取装置。
【請求項４】
前記遅延時間制御手段は、前記第１の原稿画像読取手段および前記第２の原稿画像読取手段の読取解像度に対応した遅延時間を、前記遅延手段に設定することを特徴とする請求項２記載の画像読取装置。
【請求項５】
前記遅延時間制御手段は、前記第１の原稿画像読取手段および前記第２の原稿画像読取手段に対する前記原稿紙面の相対移動速度に対応した遅延時間を、前記遅延手段に設定することを特徴とする請求項２記載の画像読取装置。
【請求項６】
前記遅延時間制御手段は、前記第１の原稿画像読取手段および前記第２の原稿画像読取手段のラインイメージセンサの光蓄積時間に対応した遅延時間を、前記遅延手段に設定することを特徴とする請求項２記載の画像読取装置。
【請求項７】
原稿紙面の表面の画像を読み取るためのラインイメージセンサを備えた第１の原稿画像読取手段と、
原稿紙面の裏面の画像を読み取るためのラインイメージセンサを備えた第２の原稿画像読取手段と、
上記第１の原稿画像読取手段の読取信号を、上記第２の原稿画像読取手段の読取信号よりも、所定ライン数遅延させる遅延手段と、
上記遅延手段が遅延させるライン数を制御する遅延ライン数御手段と、
上記遅延手段より出力される遅延読取信号から、上記第２の原稿画像読取手段の読取信号に原稿の透過率の逆数を乗じた後に主走査方向に画素順序を反転させるミラーリング処理を適用して得た第１の処理読取信号を減じる演算を行って、上記原稿紙面の裏面の画像による表面への裏写りの画像成分に対応した信号成分を、上記遅延読取信号より除去する第１の読取信号補正手段と、
上記第２の原稿画像読取手段の読取信号に原稿の透過率の逆数を乗じた後に主走査方向に画素順序を反転させるミラーリング処理を適用して得た第２の処理読取信号から、上記遅延手段より出力される遅延読取信号を減じる演算を行って、上記原稿紙面の表面の画像による裏面への裏写りの画像成分に対応した信号成分を、上記遅延読取信号より除去する第２の読取信号補正手段を備えたことを特徴とする画像読取装置。
【請求項８】
前記遅延ライン数制御手段は、前記第１の原稿画像読取手段の読取位置と、前記第２の原稿画像読取手段の読取位置の距離に対応したライン数を前記遅延手段に設定することを特徴とする請求項７記載の画像読取装置。
【請求項９】
前記遅延ライン数制御手段は、前記第１の原稿画像読取手段および前記第２の原稿画像読取手段の読取解像度に対応したライン数を、前記遅延手段に設定することを特徴とする請求項７記載の画像読取装置。
【請求項１０】
前記遅延ライン数制御手段は、前記第１の原稿画像読取手段および前記第２の原稿画像読取手段に対する前記原稿紙面の相対移動速度に対応したライン数を、前記遅延手段に設定することを特徴とする請求項２記載の画像読取装置。
【請求項１１】
前記遅延ライン数制御手段は、前記第１の原稿画像読取手段および前記第２の原稿画像読取手段のラインイメージセンサの光蓄積時間に対応したライン数を、前記遅延手段に設定することを特徴とする請求項２記載の画像読取装置。
【発明の詳細な説明】
【０００１】
【発明の属する技術分野】
本発明は、原稿紙面の両面の画像を読み取り可能な画像読取装置に関する。
【０００２】
【従来の技術】
近年、原稿紙面の両面の画像を読み取ることで、１度の原稿走査で両面画像を読み取ることができるようにした両面原稿読取装置が実用されている。例えば、特開平３−１０７２７６号（「ファクシミリ装置における原稿読取方式」）では、原稿の両面側に原稿読取手段を配置し、表面側のからの原稿読取と、裏面からの原稿読取を交互に行うことにより、良好な操作性を提供するようにしたものが提案されている。
【０００３】
【発明が解決しようとする課題】
しかしながら、このような従来装置では、例えば、原稿の表面側に、原稿の裏面側の画像が裏写りし、原稿の表面側の読取画像に裏面側の画像があらわれて、画像品質が著しく悪くなるという事態を生じていた。
【０００４】
本発明は、かかる実情に鑑みてなされたものであり、原稿の裏写りの影響を除去して、良好な両面読取画像を得ることができる画像読取装置を提供することを目的としている。
【０００５】
【課題を解決するための手段】
本発明は、原稿紙面の表面の画像を読み取るためのラインイメージセンサを備えた第１の原稿画像読取手段と、原稿紙面の裏面の画像を読み取るためのラインイメージセンサを備えた第２の原稿画像読取手段と、上記第１の原稿画像読取手段の読取信号を、上記第２の原稿画像読取手段の読取信号よりも、所定時間遅延させる遅延手段と、上記遅延手段より出力される遅延読取信号から、上記第２の原稿画像読取手段の読取信号に原稿の透過率の逆数を乗じた後に主走査方向に画素順序を反転させるミラーリング処理を適用して得た第１の処理読取信号を減じる演算を行って、上記原稿紙面の裏面の画像による表面への裏写りの画像成分に対応した信号成分を、上記遅延読取信号より除去する第１の読取信号補正手段と、上記第２の原稿画像読取手段の読取信号に原稿の透過率の逆数を乗じた後に主走査方向に画素順序を反転させるミラーリング処理を適用して得た第２の処理読取信号から、上記遅延手段より出力される遅延読取信号を減じる演算を行って、上記原稿紙面の表面の画像による裏面への裏写りの画像成分に対応した信号成分を、上記遅延読取信号より除去する第２の読取信号補正手段を備えたものである。
【０００６】
また、原稿紙面の表面の画像を読み取るためのラインイメージセンサを備えた第１の原稿画像読取手段と、原稿紙面の裏面の画像を読み取るためのラインイメージセンサを備えた第２の原稿画像読取手段と、上記第１の原稿画像読取手段の読取信号を、上記第２の原稿画像読取手段の読取信号よりも、所定時間遅延させる遅延手段と、上記遅延手段の遅延時間を制御する遅延時間制御手段と、上記遅延手段より出力される遅延読取信号から、上記第２の原稿画像読取手段の読取信号に原稿の透過率の逆数を乗じた後に主走査方向に画素順序を反転させるミラーリング処理を適用して得た第１の処理読取信号を減じる演算を行って、上記原稿紙面の裏面の画像による表面への裏写りの画像成分に対応した信号成分を、上記遅延読取信号より除去する第１の読取信号補正手段と、上記第２の原稿画像読取手段の読取信号に原稿の透過率の逆数を乗じた後に主走査方向に画素順序を反転させるミラーリング処理を適用して得た第２の処理読取信号から、上記遅延手段より出力される遅延読取信号を減じる演算を行って、上記原稿紙面の表面の画像による裏面への裏写りの画像成分に対応した信号成分を、上記遅延読取信号より除去する第２の読取信号補正手段を備えたものである。
【０００７】
また、前記遅延時間制御手段は、前記第１の原稿画像読取手段の読取位置と、前記第２の原稿画像読取手段の読取位置の距離に対応した遅延時間を、前記遅延手段に設定するとよい。
【０００８】
また、前記遅延時間制御手段は、前記第１の原稿画像読取手段および前記第２の原稿画像読取手段の読取解像度に対応した遅延時間を、前記遅延手段に設定するとよい。
【０００９】
また、前記遅延時間制御手段は、前記第１の原稿画像読取手段および前記第２の原稿画像読取手段に対する前記原稿紙面の相対移動速度に対応した遅延時間を、前記遅延手段に設定するとよい。
【００１０】
また、前記遅延時間制御手段は、前記第１の原稿画像読取手段および前記第２の原稿画像読取手段のラインイメージセンサの光蓄積時間に対応した遅延時間を、前記遅延手段に設定するとよい。
【００１１】
また、原稿紙面の表面の画像を読み取るためのラインイメージセンサを備えた第１の原稿画像読取手段と、原稿紙面の裏面の画像を読み取るためのラインイメージセンサを備えた第２の原稿画像読取手段と、上記第１の原稿画像読取手段の読取信号を、上記第２の原稿画像読取手段の読取信号よりも、所定ライン数遅延させる遅延手段と、上記遅延手段が遅延させるライン数を制御する遅延ライン数御手段と、上記遅延手段より出力される遅延読取信号から、上記第２の原稿画像読取手段の読取信号に原稿の透過率の逆数を乗じた後に主走査方向に画素順序を反転させるミラーリング処理を適用して得た第１の処理読取信号を減じる演算を行って、上記原稿紙面の裏面の画像による表面への裏写りの画像成分に対応した信号成分を、上記遅延読取信号より除去する第１の読取信号補正手段と、上記第２の原稿画像読取手段の読取信号に原稿の透過率の逆数を乗じた後に主走査方向に画素順序を反転させるミラーリング処理を適用して得た第２の処理読取信号から、上記遅延手段より出力される遅延読取信号を減じる演算を行って、上記原稿紙面の表面の画像による裏面への裏写りの画像成分に対応した信号成分を、上記遅延読取信号より除去する第２の読取信号補正手段を備えたものである。
【００１２】
また、前記遅延ライン数制御手段は、前記第１の原稿画像読取手段の読取位置と、前記第２の原稿画像読取手段の読取位置の距離に対応したライン数を、前記遅延手段に設定するとよい。
【００１３】
また、前記遅延ライン数制御手段は、前記第１の原稿画像読取手段および前記第２の原稿画像読取手段の読取解像度に対応したライン数を、前記遅延手段に設定するとよい。
【００１４】
また、前記遅延ライン数制御手段は、前記第１の原稿画像読取手段および前記第２の原稿画像読取手段に対する前記原稿紙面の相対移動速度に対応したライン数を、前記遅延手段に設定するとよい。
【００１５】
また、前記遅延ライン数制御手段は、前記第１の原稿画像読取手段および前記第２の原稿画像読取手段のラインイメージセンサの光蓄積時間に対応したライン数を、前記遅延手段に設定するとよい。
【００１６】
【発明の実施の形態】
以下、添付図面を参照しながら、本発明の実施の形態を詳細に説明する。
【００１７】
図１は、本発明の一実施例にかかるグループ３ファクシミリ装置を示している。
【００１８】
同図において、制御部１は、このファクシミリ装置の各部の制御処理、および、ファクシミリ伝送制御手順処理を行うものであり、システムメモリ２は、制御部１が実行する制御処理プログラム、および、処理プログラムを実行するときに必要な各種データなどを記憶するとともに、制御部１のワークエリアを構成するものであり、パラメータメモリ３は、このグループ３ファクシミリ装置に固有な各種の情報を記憶するためのものである。
【００１９】
両面スキャナ４は、所定の解像度で、原稿両面の画像を読み取るためのものであり、プロッタ５は、所定の解像度で画像を記録出力するためのものであり、操作表示部６は、このファクシミリ装置を操作するためのもので、各種の操作キー、および、各種の表示器からなる。
【００２０】
符号化復号化部７は、画信号を符号化圧縮するとともに、符号化圧縮されている画情報を元の画信号に復号化するためのものであり、画像蓄積装置８は、符号化圧縮された状態の画情報を多数記憶するためのものである。
【００２１】
グループ３ファクシミリモデム９は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２２】
網制御装置１０は、このファクシミリ装置を公衆電話回線網に接続するためのものであり、自動発着信機能を備えている。
【００２３】
これらの、制御部１、システムメモリ２、パラメータメモリ３、両面スキャナ４、プロッタ５、操作表示部６、符号化復号化部７、画像蓄積装置８、グループ３ファクシミリモデム９、および、網制御装置１０は、内部バス１１に接続されており、これらの各要素間でのデータのやりとりは、主としてこの内部バス１１を介して行われている。
【００２４】
また、網制御装置１０とグループ３ファクシミリモデム９との間のデータのやりとりは、直接行なわれている。
【００２５】
図２は、両面スキャナ４の読取機構の構成の一例を示している。
【００２６】
同図において、図示しない搬送手段により矢印Ａ方向に移動する原稿ＰＡは、それぞれ原稿ＰＡの裏面に接触する背面板ＰＡ１と、原稿ＰＡの表面に接触する背面板ＰＡ２の間を通過する。
【００２７】
また、背面板ＰＡ１と原稿ＰＡを挟んで対向する位置には、原稿ＰＡの表面の所定の読取位置を照明するランプＬＰ１と、このランプＬＰ１により照明された読取位置の１ライン分の画像を読み取るラインイメージセンサＬＳ１が配設されている。
【００２８】
また、背面板ＰＡ２と原稿ＰＡを挟んで対向する位置には、原稿ＰＡの裏面の所定の読取位置を照明するランプＬＰ２と、このランプＬＰ２により照明された読取位置の１ライン分の画像を読み取るラインイメージセンサＬＳ２が配設されている。
【００２９】
図３は、両面スキャナ４の信号処理手段の一例を示している。
【００３０】
同図において、ラインイメージセンサＬＳ１から出力されるアナログ画信号ＡＰ１は、アナログ信号処理部ＣＡ１により、周知のレベル変換、サンプルホールド、信号増幅およびインピーダンス変換等の所定のアナログ信号処理を受けた後、アナログ画信号ＡＰ１ａとしてアナログ／デジタル変換器ＣＢ１に加えられる。
【００３１】
アナログ／デジタル変換器ＣＢ１は、アナログ画信号ＡＰ１ａを所定ビット数の対応するデジタル信号に変換するものであり、その出力信号は、デジタル画信号ＤＰ１として、オフセット補正部ＣＣ１に加えられている。
【００３２】
オフセット補正部ＣＣ１は、ランプＬＰ１がオフしている状態でのラインイメージセンサＬＳ１の各画素の出力値をメモリにオフセットデータとして格納し、ランプＬＰ１が点灯して実際の読取動作により得られたラインイメージセンサＬＳ１の各画素の出力値から、格納しているオフセットデータの値を減算することで、ラインイメージセンサＬＳ１の各画素出力の信号オフセットを補正するものであり、その出力信号は、デジタル画信号ＤＰ１ａとしてシェーディング補正部ＣＤ１に加えられている。
【００３３】
シェーディング補正部ＣＤ１は、ランプＬＰ１の光量むらの読取画信号への影響を補正する周知のシェーディング補正処理を適用するものであり、その出力信号は、デジタル画信号ＤＰ１ｂとして遅延メモリＣＥに加えられている。
【００３４】
遅延メモリＣＥは、制御部１より加えられる遅延制御信号ＳＳに対応したライン数だけ、入力したデジタル画信号ＤＰ１ｂを遅延するものであり、例えば、ラインメモリやフィールドメモリ等の半導体メモリ装置が用いられる。この遅延メモリＣＥの出力信号は、デジタル表面画信号ＤＰ１ｃとして、裏写り補正部ＣＦ１の入力端Ａ、および、裏写り補正部ＣＦ２の入力端Ｂにそれぞれ加えられている。
【００３５】
ラインイメージセンサＬＳ２から出力されるアナログ画信号ＡＰ２は、アナログ信号処理部ＣＡ２により、周知のレベル変換、サンプルホールド、信号増幅およびインピーダンス変換等の所定のアナログ信号処理を受けた後、アナログ画信号ＡＰ２ａとしてアナログ／デジタル変換器ＣＢ２に加えられる。
【００３６】
アナログ／デジタル変換器ＣＢ２は、アナログ画信号ＡＰ２ａを所定ビット数の対応するデジタル信号に変換するものであり、その出力信号は、デジタル画信号ＤＰ２として、オフセット補正部ＣＣ２に加えられている。
【００３７】
オフセット補正部ＣＣ２は、ランプＬＰ２がオフしている状態でのラインイメージセンサＬＳ２の各画素の出力値をメモリにオフセットデータとして格納し、ランプＬＰ２が点灯して実際の読取動作により得られたラインイメージセンサＬＳ２の各画素の出力値から、格納しているオフセットデータの値を減算することで、ラインイメージセンサＬＳ２の各画素出力の信号オフセットを補正するものであり、その出力信号は、デジタル画信号ＤＰ２ａとしてシェーディング補正部ＣＤ２に加えられている。
【００３８】
シェーディング補正部ＣＤ２は、ランプＬＰ２の光量むらの読取画信号への影響を補正する周知のシェーディング補正処理を適用するものであり、その出力信号は、デジタル裏面画信号ＤＰ２ｂとして裏写り補正部ＣＦ２の入力端Ａおよび裏写り補正部ＣＦ１の入力端Ｂにそれぞれ加えられている。
【００３９】
裏写り補正部ＣＦ１は、入力端Ａに加えられるデジタル表面画信号ＤＰ１ｃおよび入力端Ｂに加えられるデジタル裏面画信号ＤＰ２ｂに基づき、デジタル表面画信号ＤＰ１ｃに現れている原稿ＰＡの裏面からの裏写り画像の成分を除去するものであり、その出力信号は、デジタル表面画信号ＤＰ１ｄとして、フィルタ処理部ＣＧ１に加えられている。
【００４０】
フィルタ処理部ＣＧ１は、所定のＭＴＦ補正演算を行うものであり、その出力信号は、デジタル表面画信号ＤＰ１ｅとして、変倍処理部ＣＨ１に加えられている。
【００４１】
変倍処理部ＣＨ１は、制御部１より加えられる変倍制御信号ＳＺに対応して、入力したデジタル表面画信号ＤＰ１ｅを変倍処理するものであり、その出力信号は、デジタル表面画信号ＤＰ１ｆとして階調処理部ＣＩ１に加えられている。
【００４２】
階調処理部ＣＩ１は、入力したデジタル表面画信号ＤＰ１ｆを、所定階調の画信号、例えば、白黒２階調の画信号や疑似中間調処理した画信号に変換するものであり、その出力信号は、表面画信号ＤＤ１として、次段装置に出力されている。
【００４３】
裏写り補正部ＣＦ２は、入力端Ａに加えられるデジタル裏面画信号ＤＰ２ｂおよび入力端Ｂに加えられるデジタル表面画信号ＤＰ１ｃに基づき、デジタル裏面画信号ＤＰ２ｂに現れている原稿ＰＡの表面からの裏写り画像の成分を除去するものであり、その出力信号は、デジタル裏面画信号ＤＰ２ｄとして、フィルタ処理部ＣＧ２に加えられている。
【００４４】
フィルタ処理部ＣＧ２は、所定のＭＴＦ補正演算を行うものであり、その出力信号は、デジタル裏面画信号ＤＰ２ｅとして、変倍処理部ＣＨ２に加えられている。
【００４５】
変倍処理部ＣＨ２は、制御部１より加えられる変倍制御信号ＳＺに対応して、入力したデジタル裏面画信号ＤＰ２ｅを変倍処理するものであり、その出力信号は、デジタル裏面画信号ＤＰ２ｆとして階調処理部ＣＩ２に加えられている。
【００４６】
階調処理部ＣＩ２は、入力したデジタル裏面画信号ＤＰ２ｆを、所定階調の画信号、例えば、白黒２階調の画信号や疑似中間調処理した画信号に変換するものであり、その出力信号は、裏面画信号ＤＤ２として、次段装置に出力されている。
【００４７】
図４は、裏写り補正部ＣＦ１，ＣＦ２の構成例を示している。
【００４８】
入力端Ａに加えられる画信号は、１ライン遅延メモリＦＡを介して、演算回路ＦＢに加えられている。また、入力端Ｂに加えられる画信号は、原稿ＰＡの透過率ｘの逆数を乗算する乗算器ＦＣに加えられ、（１／ｘ）に乗算された後に、ミラーリング処理部ＦＤに加えられ、所定のミラーリング処理された後に、演算器ＦＢに加えられている。ここで、ミラーリング処理とは、主走査方向に画素順序を反転させる処理である。
【００４９】
演算器ＦＢは、１ライン遅延メモリＦＡを介して加えられる画信号から、ミラーリング処理部ＦＤを介して加えられる画信号の値を減算するものであり、その処理結果が、裏写り補正処理後の画信号として、次段回路に出力される。
【００５０】
ここで、例えば、表面に図５（ａ）に示すような画像が記録され、裏面に同図（ｂ）に示すような画像が記録されている原稿ＰＡの画像を読み取ることを考え、それぞれラインイメージセンサＬＳ１，ＬＳ２が、図６（ａ），（ｂ）に示す読取位置Ｘ−Ｙ，Ｘ−’Ｙ’を読み取っている場合を考える。
【００５１】
このとき、ラインイメージセンサＬＳ１から出力されるアナログ画信号ＡＰ１に対応して遅延メモリＣＥより出力されるデジタル表面画信号ＤＰ１ｃは、図７（ａ）に示すようなレベル変化を示し、また、ラインイメージセンサＬＳ２から出力されるアナログ画信号ＡＰ２に対応してシェーディング補正部ＣＤ２より出力されるデジタル裏面画信号ＤＰ２ｂは、同図（ｂ）に示すようなレベル変化を示す。
【００５２】
これにより、裏写り補正部ＣＦ１において、乗算器ＦＣから出力される信号は、図８（ｂ）に示すような態様となり、また、裏写り補正部ＣＦ２において、乗算器ＦＣから出力される信号は、同図（ａ）に示すような態様となる。ここで、（１／ｘ）の値は０．２である。
【００５３】
よって、裏写り補正部ＣＦ１において、ミラーリング処理部ＦＤから出力される信号は、図９（ｂ）に示すような態様となり、また、裏写り補正部ＣＦ２において、ミラーリング処理部ＦＤから出力される信号は、同図（ａ）に示すような態様となる。
【００５４】
したがって、裏写り補正部ＣＦ１において、演算器ＦＢから出力される信号は、図１０（ｂ）に示すような態様となり、原稿ＰＡの表面の読取位置Ｘ−Ｙにおける裏面からの裏写り画像の成分が適切に除去された信号となる。
【００５５】
また、裏写り補正部ＣＦ２において、演算器ＦＢから出力される信号は、図１０（ａ）に示すような態様となり、原稿ＰＡの裏面の読取位置Ｘ’−Ｙ’における表面からの裏写り画像の成分が適切に除去された信号となる。
【００５６】
このようにして、裏写り補正部ＣＦ１により、原稿ＰＡの裏面から表面に対する裏写り画像の成分が除去されるとともに、裏写り補正部ＣＦ２により、原稿ＰＡの表面から裏面に対する裏写り画像の成分が除去されるので、表面画信号ＤＤ１および裏面画信号ＤＤ２により、裏写り画像の成分が除去された高画質な画像が得られる。
【００５７】
ところで、遅延メモリＣＥは、シェーディング補正部ＣＤ１から出力されるデジタル表面画信号ＤＰ１ｂと、シェーディング補正部ＣＤ２から出力されるデジタル裏面ＤＰ２の副走査方向の画像位置を一致させるために、デジタル表面画信号ＤＰ１ｂを遅延しているが、この遅延メモリＣＥが遅延するライン数を決定する処理の一例を図１１に示す。
【００５８】
両面スキャナ４の読取開始に先立って、制御部１は、そのときにユーザから指定されている読取解像度（Ｒ）を入力し（処理１０１）、そのときに装置に設定されている搬送速度（Ｓ）を入力し（処理１０２）、そのときに装置に設定されているラインイメージセンサＬＳ１，ＬＳ２の光蓄積時間（Ｔ）を入力し（処理１０３）、そのときに装置に設定されているラインイメージセンサＬＳ１とＬＳ２の取り付け位置の副走査方向への距離（ｄ）を入力し、これらの解像度（Ｒ）、搬送速度（Ｓ）および光蓄積時間（Ｔ）に基づいて、遅延ライン数（Ｌ）を、次の式（Ｉ）または式（ＩＩ）に基づいて算出する（処理１０５）。
【００５９】
Ｌ＝ｄ／（Ｔ・Ｓ）                                      （Ｉ）
【００６０】
Ｌ＝ｄ・Ｒ                                            （ＩＩ）
【００６１】
そして、このようにして算出した遅延ライン数（Ｌ）に対応して、遅延制御信号ＳＳの値を設定し、その遅延制御信号ＳＳを遅延メモリＣＥに出力する（処理１０６）。
【００６２】
なお、搬送速度（Ｓ）、光蓄積時間（Ｔ）、および、距離（ｄ）の値としては、例えば、パラメータメモリ３の適宜な記憶領域に記憶した値を読み出すことで使用することができる。
【００６３】
また、これらの搬送速度（Ｓ）、光蓄積時間（Ｔ）、および、距離（ｄ）の値は、例えば、保守作業時にラインイメージセンサＬＳ１，ＬＳ２を交換したり、両面スキャナ４の搬送機構ユニットを交換した場合などに、適宜に変更されるものである。
【００６４】
なお、上述した実施例では、両面にラインイメージセンサを設け、１回の原稿走査動作で原稿画像の両面の画像を読み取る頃ができるようにしているが、原稿の表面を読み取った後に、原稿を反転して裏面を読み取る場合にも、本発明を同様にして適用することができる。その場合、遅延メモリの遅延ライン数の値は、１ページ分のライン数に相当する値となる。
【００６５】
【発明の効果】
以上説明したように、本発明によれば、原稿の表面を読み取った画信号にあらわれる原稿裏面の画像の裏写りの影響、および、原稿の表面を読み取った画信号にあらわれる原稿裏面の画像の裏写りの影響を、それぞれ適切に除去することができるので、高画質に両面原稿の読み取りを行うことができるという効果を得る。
【図面の簡単な説明】
【図１】本発明の一実施例にかかるグループ３ファクシミリ装置の構成の一例を示したブロック図。
【図２】両面スキャナの読取機構の構成の一例を示した概略構成図。
【図３】両面スキャナの信号処理手段の一例を示したブロック図。
【図４】裏写り補正部の構成例を示したブロック図。
【図５】読み取り原稿の一例を示した概略図。
【図６】読み取り位置の一例を示した概略図。
【図７】読み取り位置における画信号の一例を示したグラフ図。
【図８】裏写り補正部の乗算器から出力される信号の一例を示したグラフ図。
【図９】裏写り補正部のミラーリング処理部から出力される信号の一例を示したグラフ図。
【図１０】裏写り補正部の演算器から出力される信号の一例を示したグラフ図。
【図１１】遅延メモリに設定する遅延ライン数を決定する処理の一例を示したフローチャート。
【符号の説明】
１  制御部
２  システムメモリ
３  パラメータメモリ
４  両面スキャナ
ＣＥ  遅延メモリ
ＣＦ１，ＣＦ２  裏写り補正部
【図１】
0003580951.tif 000002
【図２】
0003580951.tif 000003
【図３】
0003580951.tif 000004
【図４】
0003580951.tif 000005
【図５】
0003580951.tif 000006
【図６】
0003580951.tif 000007
【図７】
0003580951.tif 000008
【図８】
0003580951.tif 000009
【図９】
0003580951.tif 000010
【図１０】
0003580951.tif 000011
【図１１】
0003580951.tif 000012